(57)【要約】【課題】エンドユーザサイトを起点にしたインシデント管理装置、インシデント管理システム及びインシデント管理方法を提供する。【解決手段】エンドユーザサイトのコンピュータ及びメーカを含む取引先のコールセンタのコンピュータに対して接続されたインシデント管理装置は、エンドユーザサイトのコンピュータが発行する、インシデントに対応したチケットを受信する発行チケット受信部と、取引先のコールセンタのコンピュータが発行する回答を受信する回答受信部と、エンドユーザサイトのコンピュータが別の取引先のコールセンタのコンピュータに対して発行する、チケットと同一のインシデントに係る新たな情報を追加可能な追加チケットを受信する追加チケット受信部と、エンドユーザサイトのコンピュータ及び取引先のコールセンタのコンピュータからのインシデントの照会要求に対して、検索結果を提供する情報提供部と、を備える。【選択図】図１
2020166800.tif 000002
【特許請求の範囲】
【請求項１】
機械及び／又はデバイスが稼働するエンドユーザサイトのコンピュータと、前記機械及び／又はデバイスのメーカを含む取引先のコールセンタのコンピュータとに対して接続され、前記エンドユーザサイトで発生したインシデントに対する取引先による解決をサポートするためのインシデント管理装置であって、
前記エンドユーザサイトの前記コンピュータが前記取引先のコールセンタの前記コンピュータに対して発行する、前記インシデントに対応したチケットを受信する発行チケット受信部と、
前記取引先のコールセンタの前記コンピュータが前記エンドユーザサイトの前記コンピュータに対して行う、発行された前記チケットに対する回答を受信する回答受信部と、
前記エンドユーザサイトの前記コンピュータが発行する、前記チケットと同一のインシデントに係る新たな情報を追加可能な追加チケットを受信する追加チケット受信部と、
前記エンドユーザサイトのコンピュータ、及び前記取引先のコールセンタのコンピュータからの、前記インシデントの進捗状況の照会要求に対して、前記チケットにより管理されるインシデント情報を検索して、それぞれ前記エンドユーザサイトのコンピュータ、及び前記取引先のコールセンタのコンピュータに対して検索結果を提供する情報提供部と、
を備える、インシデント管理装置。
【請求項２】
請求項１に記載のインシデント管理装置において、
前記追加チケット受信部は、前記エンドユーザサイトの前記コンピュータが前記取引先のコールセンタの前記コンピュータに対して発行する、前記追加チケットを受信する、インシデント管理装置。
【請求項３】
請求項１に記載のインシデント管理装置において、
前記追加チケット受信部は、前記エンドユーザサイトの前記コンピュータが、前記取引先のコールセンタが属する取引先とは異なる取引先に属するコールセンタのコンピュータに対して発行する、前記追加チケットを受信する、インシデント管理装置。
【請求項４】
請求項１から請求項３までのいずれか一項に記載のインシデント管理装置において、
前記チケットと、前記チケットと同一のインシデントに係る前記追加チケットとを関連付けるチケット関連付け部を備える、インシデント管理装置。
【請求項５】
請求項１から請求項４までのいずれか一項に記載のインシデント管理装置において、
前記チケットは、機械情報、現場状況、進捗状況、対応履歴の少なくとも１つに関する項目を含み、かつ、前記項目の内容がＮＵＬＬであることを許容し、
前記チケットの内容を、前記取引先のコールセンタの前記コンピュータから確認可能にするか否かを判定するチケット照会判定部を備える、インシデント管理装置。
【請求項６】
請求項５に記載のインシデント管理装置において、
前記チケットは、前記取引先のコールセンタが指定する、前記チケットの内容の照会可否に関する照会フラグを含み、
前記チケット照会判定部は、前記照会フラグが照会可の場合にのみ、前記チケットの内容を、他の取引先に属するコールセンタのコンピュータから確認可能にする、インシデント管理装置。
【請求項７】
請求項１から請求項６までのいずれか一項に記載のインシデント管理装置において、
前記エンドユーザサイトの情報取得装置が取得した画像及び／又は音を含むインシデントデータを受信するインシデントデータ受信部と、
前記発行チケット受信部が受信した前記チケットと、前記インシデントデータ受信部が受信した前記インシデントデータとを関連付けるデータ関連付け部と、
を備える、インシデント管理装置。
【請求項８】
請求項１から請求項７までのいずれか一項に記載のインシデント管理装置において、
前記機械及び／又は前記デバイスは、エッジ機器であり、
前記エンドユーザサイトの前記コンピュータは、１台以上の前記エッジ機器と通信可能に接続されたエッジサーバである、インシデント管理装置。
【請求項９】
請求項１から請求項８までのいずれか一項に記載のインシデント管理装置と、
前記機械及び／又は前記デバイスの設定情報を記憶した設定情報データベースを有する設定情報管理装置と、
前記エンドユーザサイトに有する携帯端末と、
を備えるインシデント管理システムであって、
前記機械及び／又は前記デバイスの各々には、前記機械及び／又は前記デバイスを特定可能な装置識別情報が可視位置に付与されており、
前記携帯端末は、
前記機械又は前記デバイスのうちの１つであるインシデント対象装置に対応付けられた前記装置識別情報及び前記設定情報管理装置への接続情報の入力を受け付けて前記設定情報管理装置に接続する接続部と、
前記設定情報データベースに有する、前記インシデント対象装置に対応した前記設定情報を指定する設定情報指定部と、
を備え、
前記インシデント管理装置は、
前記携帯端末が指定した前記設定情報を受信する設定情報受信部と、
前記発行チケット受信部が受信した前記チケットと、前記設定情報受信部が受信した前記設定情報とを関連付ける設定情報関連付け部と、
を備える、インシデント管理システム。
【請求項１０】
請求項９に記載のインシデント管理システムにおいて、
前記携帯端末は、前記接続部により前記設定情報管理装置に接続した場合に、本人認証情報を送信する本人認証送信部を備え、
前記インシデント管理装置の前記設定情報受信部は、前記携帯端末が送信した前記本人認証情報に基づいて本人認証ができた場合に送信される前記設定情報を受信する、インシデント管理システム。
【請求項１１】
請求項９又は請求項１０に記載のインシデント管理システムにおいて、
前記機械及び／又は前記デバイスの各々には、前記装置識別情報と共に、又は、前記装置識別情報に代えて、前記携帯端末の読取部により読取可能なコードが可視位置に付与されており、
前記コードは、前記設定情報管理装置への接続情報を有し、
前記携帯端末の前記接続部は、前記機械又は前記デバイスのうちの１つであるインシデント対象装置に対応付けられた前記コードを読み取ることで前記設定情報管理装置に接続する、インシデント管理システム。
【請求項１２】
請求項１１に記載のインシデント管理システムにおいて、
前記コードは、前記設定情報管理装置への接続情報に加えて、前記コードに対応する前記装置識別情報を有する、インシデント管理システム。
【請求項１３】
請求項１１又は請求項１２に記載のインシデント管理システムにおいて、
前記コードは、インシデント発生時に、前記機械及び／又は前記デバイスにおいて前記機械及び／又は前記デバイスが有する表示部に表示されるものである、インシデント管理システム。
【請求項１４】
請求項１から請求項８までのいずれか一項に記載のインシデント管理装置と、
前記エンドユーザサイトの前記コンピュータと、
前記取引先のコールセンタの前記コンピュータと、
を備えるインシデント管理システム。
【請求項１５】
請求項９から請求項１４までのいずれか一項に記載のインシデント管理システムにおいて、
前記インシデント管理装置は、クラウドサーバ上に存在する、インシデント管理システム。
【請求項１６】
機械及び／又はデバイスが稼働するエンドユーザサイトのコンピュータと、前記機械及び／又はデバイスのメーカを含む取引先のコールセンタのコンピュータとに対して接続されたインシデント管理装置による、前記エンドユーザサイトで発生したインシデントに対する取引先による解決をサポートするためのインシデント管理方法であって、
前記インシデント管理装置が、
前記エンドユーザサイトの前記コンピュータが前記取引先のコールセンタの前記コンピュータに対して発行する、前記インシデントに対応したチケットを受信する発行チケット受信ステップと、
前記取引先のコールセンタの前記コンピュータが前記エンドユーザサイトの前記コンピュータに対して行う、発行された前記チケットに対する回答を受信する回答受信ステップと、
前記エンドユーザサイトの前記コンピュータが発行する、前記チケットと同一のインシデントに係る新たな情報を追加可能な追加チケットを受信する追加チケット受信ステップと、
前記エンドユーザサイトのコンピュータ、及び前記取引先のコールセンタのコンピュータからの、前記インシデントの進捗状況の照会要求に対して、前記チケットにより管理されるインシデント情報を検索して、それぞれ前記エンドユーザサイトのコンピュータ、及び前記取引先のコールセンタのコンピュータに対して検索結果を提供する情報提供ステップと、
を含む、インシデント管理方法。
【発明の詳細な説明】
【技術分野】
【０００１】
本発明は、エンドユーザサイトが起点になるインシデント管理装置、インシデント管理システム及びインシデント管理方法に関する。
【背景技術】
【０００２】
従来、工作機械や産業用ロボットを稼働させる工場等において、継続的な安定稼働のために障害監視を行う仕組みが構築されている。そして、障害が発生すると、工場等の作業者は、該当の機械を特定し、障害の内容によっては、例えば、機械のメーカ側コールセンタに問い合わせをしていた。
メーカ側コールセンタでは、問い合わせを受け付けて、受け付けた問い合わせ内容を、例えば、メーカ側コールセンタが備えるインシデントを管理するデータベースに、インシデントとして登録し、インシデントの管理を行っていた。
【０００３】
例えば運用管理における、複数項目を有するインシデント事例の入力支援方法であって、前記複数項目に含まれる特定の項目に対する入力を受け付け、受け付けた入力に応じ、前記特定の項目に応じた拡張範囲で、前記入力に対応したインシデント事例を検索する、処理をコンピュータが実行する入力支援方法が知られている（例えば、特許文献１）。
【０００４】
工場等のエンドユーザサイトの工作機械や産業用ロボットは、複数のメーカのもので構成されることが多々ある。そこで、一般的に、工作機械や産業用ロボットの機械メーカではなく、システムインテグレータ等の専門業者が、工場等の製造現場でアプリケーションを利用する上で、ハードウェア及びソフトウェアの環境設定を行っている。エンドユーザサイトでは、インシデントが発生した際に、まずは、システムインテグレータのコールセンタに対して問い合わせをすることがある。
そして、システムインテグレータがインシデントを解決できない場合には、次に、機械メーカを含む取引先に問い合わせる等、複数の取引先のコールセンタに問い合わせることがある。その場合には、エンドユーザサイトでは、取引先のコールセンタごとに同じ問い合わせをしなければならず、煩雑であった。また、複数の取引先のコールセンタに問い合わせるため、解決までに時間を要することになるが、エンドユーザサイトでは、取引先のコールセンタでの対応状況を把握する術がなかった。
【先行技術文献】
【特許文献】
【０００５】
【特許文献１】特開２０１７−１７４１３７号公報
【発明の概要】
【発明が解決しようとする課題】
【０００６】
そこで、エンドユーザサイトを起点にしてインシデントを管理し、インシデントの進捗状況を把握できる仕組みが望まれている。
【課題を解決するための手段】
【０００７】
（１）本開示の一態様は、機械及び／又はデバイスが稼働するエンドユーザサイトのコンピュータと、前記機械及び／又はデバイスのメーカを含む取引先のコールセンタのコンピュータとに対して接続され、前記エンドユーザサイトで発生したインシデントに対する取引先による解決をサポートするためのインシデント管理装置が、前記エンドユーザサイトの前記コンピュータが前記取引先のコールセンタの前記コンピュータに対して発行する、前記インシデントに対応したチケットを受信する発行チケット受信部と、前記取引先のコールセンタの前記コンピュータが前記エンドユーザサイトの前記コンピュータに対して行う、発行された前記チケットに対する回答を受信する回答受信部と、前記エンドユーザサイトの前記コンピュータが発行する、前記チケットと同一のインシデントに係る新たな情報を追加可能な追加チケットを受信する追加チケット受信部と、前記エンドユーザサイトのコンピュータ、及び前記取引先のコールセンタのコンピュータからの、前記インシデントの進捗状況の照会要求に対して、前記チケットにより管理されるインシデント情報を検索して、それぞれ前記エンドユーザサイトのコンピュータ、及び前記取引先のコールセンタのコンピュータに対して検索結果を提供する情報提供部と、を備える。
【０００８】
（２）本開示の一態様は、インシデント管理システムが、（１）に記載のインシデント管理装置と、前記エンドユーザサイトの前記コンピュータと、前記取引先のコールセンタの前記コンピュータと、を備える。
【０００９】
（３）本開示の一態様は、機械及び／又はデバイスが稼働するエンドユーザサイトのコンピュータと、前記機械及び／又はデバイスのメーカを含む取引先のコールセンタのコンピュータとに対して接続されたインシデント管理装置による、前記エンドユーザサイトで発生したインシデントに対する取引先による解決をサポートするためのインシデント管理方法であって、前記インシデント管理装置が、前記エンドユーザサイトの前記コンピュータが前記取引先のコールセンタの前記コンピュータに対して発行する、前記インシデントに対応したチケットを受信する発行チケット受信ステップと、前記取引先のコールセンタの前記コンピュータが前記エンドユーザサイトの前記コンピュータに対して行う、発行された前記チケットに対する回答を受信する回答受信ステップと、前記エンドユーザサイトの前記コンピュータが発行する、前記チケットと同一のインシデントに係る新たな情報を追加可能な追加チケットを受信する追加チケット受信ステップと、前記エンドユーザサイトのコンピュータ、及び前記取引先のコールセンタのコンピュータからの、前記インシデントの進捗状況の照会要求に対して、前記チケットにより管理されるインシデント情報を検索して、それぞれ前記エンドユーザサイトのコンピュータ、及び前記取引先のコールセンタのコンピュータに対して検索結果を提供する情報提供ステップと、を含む。
【発明の効果】
【００１０】
一態様によれば、エンドユーザサイトを起点にしてインシデントを管理し、インシデントの進捗状況を把握できるインシデント管理装置、インシデント管理システム及びインシデント管理方法を提供することができる。
【図面の簡単な説明】
【００１１】
【図１】第１実施形態に係るインシデント管理システムの全体概要図である。
【図２】第１実施形態に係るインシデント管理装置の機能ブロック図である。
【図３】第１実施形態に係るインシデント管理装置の記憶部の例を示す図である。
【図４】第１実施形態に係るメニュー画面の例を示す図である。
【図５】第１実施形態に係るインシデント管理装置のチケット更新処理を示すフローチャートである。
【図６】第１実施形態に係るチケット画面の例を示す図である。
【図７】第１実施形態に係るチケット画面の例を示す図である。
【図８】第１実施形態に係るチケット画面の例を示す図である。
【図９】第１実施形態に係る検索条件入力画面の例を示す図である。
【図１０】第１実施形態に係る検索結果画面の例を示す図である。
【図１１】第１実施形態の変形例に係るインシデント管理システムの全体概要図である。
【図１２】第２実施形態に係るインシデント管理システムの全体概要図である。
【図１３】第２実施形態に係るインシデント管理装置の機能ブロック図である。
【図１４Ａ】第２実施形態に係る読取装置の機能ブロック図である。
【図１４Ｂ】第２実施形態に係る設定情報管理装置の機能ブロック図である。
【図１５】第２実施形態に係るインシデント管理装置のチケット更新処理を示すフローチャートである。
【図１６】第２実施形態に係るインシデントシステムの設定情報関連付け処理を示すフローチャートである。
【図１７Ａ】第２実施形態に係るＱＲコードの取り付け例を示す図である。
【図１７Ｂ】第２実施形態に係るＱＲコードの取り付け例を示す図である。
【発明を実施するための形態】
【００１２】
（第１実施形態）
まず、一態様の実施形態の概略を説明する。第１実施形態は、エンドユーザサイトのコンピュータと、取引先のコールセンタのコンピュータとしてのメーカ側コールセンタのコンピュータとに対して接続されたインシデント管理装置に関する。エンドユーザサイトは、工作機械や産業用ロボットに代表される機械やデバイスが稼働する、例えば、工場である。メーカ側コールセンタは、機械やデバイスの製造メーカのみならず、設備メーカ、販売店、システムインテグレータ等を含む取引先をも含むものであってよい。そして、インシデント管理装置が、エンドユーザサイトのコンピュータから受信したインシデントに対応した、当該インシデントに係るすべての情報を一元管理するためのチケットの管理を行う。具体的には、エンドユーザが起点となり、インシデントを作成し、展開する情報をエンドユーザが選択する。インシデント管理装置は、インシデントに関連するエンドユーザ及び取引先双方の情報を一元管理する。そうすることで、インシデントの「見える化」を図る。
【００１３】
［インシデント管理システム１００］
インシデント管理システム１００は、インシデント管理装置１が、エンドユーザサイトのコンピュータによって入力されたインシデントに対応するチケットを、メーカ側コールセンタのコンピュータでのアクセス可否を含んで管理するシステムである。
図１に示すインシデント管理システム１００は、インシデント管理装置１と、エンドユーザサイトのコンピュータであるユーザ側端末４と、メーカ側コールセンタのコンピュータであるメーカ側端末８とを備える。
【００１４】
インシデント管理装置１と、ユーザ側端末４と、メーカ側端末８とは、例えば、通信ネットワークＮを介して通信が可能である。通信ネットワークＮは、例えば、インターネットや、ＶＰＮ（Ｖｉｒｔｕａｌ  Ｐｒｉｖａｔｅ  Ｎｅｔｗｏｒｋ）、公衆電話網等である。通信ネットワークＮにおける具体的な通信方式や、有線接続及び無線接続のいずれであるか等については、特に限定されない。
【００１５】
図１には、エンドユーザサイトを１つのみ示しているが、複数のエンドユーザサイトの各々が備えるユーザ側端末４が、インシデント管理装置１と接続されていてもよい。また、エンドユーザサイトと、メーカ側コールセンタとには、１台の端末が示されているが、各々複数台の端末を有し、各端末がインシデント管理装置１と接続されていてもよい。
また、図１には、エンドユーザサイトに、情報取得装置６を有するものとして記載しているが、後述するように、情報取得装置６は、任意である。情報取得装置６は、例えば、スマートフォン、タブレット等の携帯端末や、スマートグラス等の眼鏡型のウェアラブルデバイスといったエンドユーザの携行する情報装置であって、エンドユーザがインシデントに係る状態を示す画像（写真、動画等）、インシデントにかかる音（例えば異音等）を含むインシデントデータを取得することができる装置である。さらに、エンドユーザサイトには、工作機械９ａ及び産業用ロボット９ｂを例示しているが、これは、機械やデバイスの一例である。
【００１６】
［インシデント管理装置１］
インシデント管理装置１は、ユーザ側端末４からインシデントに対応したチケットを受け付けて、受け付けたチケットを管理する。また、インシデント管理装置１は、管理するチケットを、該当するメーカ側端末８で参照可能に設定する。
以降の説明において、インシデント管理装置１が、後述する一連の処理によってユーザ側端末４及びメーカ側端末８に対して提供するものを、「インシデントサービス」ということがある。
【００１７】
図２に示すように、インシデント管理装置１は、制御部１０と、記憶部２０と、通信部２９とを備える。
制御部１０は、ＣＰＵ（中央処理装置）であってよく、記憶部２０のプログラム記憶部２１に記憶されたインシデント管理装置１を制御する各種のプログラムを実行することにより、インシデント管理装置１を統括制御する。
制御部１０は、発行チケット受信部１１と、回答受信部１４と、追加チケット受信部１５と、チケット関連付け部１６と、チケット照会判定部１７と、情報提供部１８とを備える。これらの各機能部は、制御部１０がプログラム記憶部２１に格納されたインシデント管理プログラム２１ａを実行することにより実現される。なお、後述するが、制御部１０は、インシデントデータ受信部１２と、データ関連付け部１３とを備えてもよい。
【００１８】
発行チケット受信部１１は、ユーザ側端末４が起点となり発行したインシデントを管理するためのチケットを、ユーザ側端末４から受信する。ここで、チケットとは、インシデント情報を有し、エンドユーザサイトと、メーカ側コールセンタとの間でインシデントを共有するのに用いる。チケットは、インシデントの内容を記入する記入票の役割を有する。また、チケットは、インシデントに対する対応内容を記入する回答票の役割を有する。
チケットは、インシデント情報として、例えば、機械情報、現場状況、進捗状況及び対応履歴の少なくとも１つの項目を含んでよい。ここで、上記の項目に対しての入力は、最初の段階から全ての入力が必要なわけではなく、任意である。よって、ユーザ側端末４は、上記の項目がＮＵＬＬである空のチケットを発行してもよい。
【００１９】
インシデントデータ受信部１２は、インシデントに係る状態を示す画像（写真、動画等）、インシデントにかかる音（例えば異音等）を含むインシデントデータを受信する。ここで、画像は、静止画であっても、動画であってもよい。また、インシデントデータは、画像及び音のいずれか一方を含むものであってもよい。インシデントデータは、例えば、スマートフォン、タブレット等の携帯端末や、スマートグラス等の眼鏡型のウェアラブルデバイスといった、エンドユーザの携行する情報取得装置６が取得したデータである。
データ関連付け部１３は、発行チケット受信部１１が受信したチケットと、インシデントデータ受信部１２が受信したインシデントデータとを関連付ける。
なお、前述したように、制御部１０は、インシデントデータ受信部１２と、データ関連付け部１３とを必ずしも含まなくてもよい。
【００２０】
回答受信部１４は、発行されたチケットに対してメーカ側端末８が入力した回答を、メーカ側端末８から受信する。ここで、回答とは、インシデントに対する対応内容のみならず、例えば、進捗状況に関するデータ等であってもよい。
【００２１】
追加チケット受信部１５は、ユーザ側端末４が発行した、既に発行したチケットと同一のインシデントに対応する新たな情報を追加可能な追加チケットを、ユーザ側端末４から受信する。追加チケットは、回答受信部１４が受信したチケットに対する回答を参照したエンドユーザサイトにおいて、例えば、さらに別の取引先等の対応（問い合わせ、セカンドオピニオンを含む）が必要だと判断した場合に、ユーザ側端末４において別の取引先に対して発行する。また、追加チケットは、回答受信部１４が受信したチケットに対する回答を参照したエンドユーザサイトにおいて、例えば、同じ取引先に対してさらに確認が必要だと判断した場合に、ユーザ側端末４において同じ取引先に対して発行するものであってもよい。
チケット関連付け部１６は、ユーザ側端末４から受信した追加チケットと、追加チケットに対応し、既に発行済のチケットである元チケットとを関連付ける。
【００２２】
チケット照会判定部１７は、チケットごとに有する照会可否の設定に基づいて、メーカ側端末８に対するチケットの照会可否を判定する。
情報提供部１８は、ユーザ側端末４と、メーカ側端末８との両方において、インシデントの進捗状況等の照会要求に対して、チケットにより管理されるインシデント情報を検索して、ユーザ側端末４又はメーカ側端末８に対して検索結果を提供する。この際、情報提供部１８は、メーカ側端末８に対しては、チケット照会判定部１７により照会可と判定されたチケットにより管理されるインシデント情報を検索対象とする。
【００２３】
記憶部２０は、制御部１０により実行されるプログラム等を記憶する記憶領域である。記憶部２０は、プログラム記憶部２１と、チケット記憶部２２と、データ記憶部２３とを備える。
プログラム記憶部２１は、インシデント管理装置１の制御部１０が実行する各種のプログラムを記憶する。プログラム記憶部２１は、前述した制御部１０の各種機能を実行するインシデント管理プログラム２１ａを記憶している。
【００２４】
チケット記憶部２２は、チケットを記憶する記憶領域である。
図３に示すチケット記憶部２２は、例えば、チケットＩＤ（ＩＤｅｎｔｉｆｉｃａｔｉｏｎ）をキー情報として、ユーザＩＤと、インシデント情報と、メーカＩＤと、回答内容と、照会フラグと、データＩＤと、元チケットＩＤとを対応付けて記憶する。
チケットＩＤは、チケットを識別するための識別情報であり、任意に設定できる。チケットＩＤには、例えば、制御部１０が１からの連番を付与して格納してもよい。
ユーザＩＤは、エンドユーザサイトを識別する識別情報である。
インシデント情報は、インシデントに係る情報であり、前述したように、機械情報、現場状況、進捗状況及び対応履歴等の情報を含む。
【００２５】
メーカＩＤは、メーカ側コールセンタを識別する識別情報である。
回答内容は、メーカ側コールセンタによる回答内容である。
照会フラグは、メーカ側コールセンタにより設定された、回答内容を他のメーカ側コールセンタに開示するか否かに関するフラグである。例えば、他のメーカ側コールセンタへの情報の開示を許可する場合には、照会フラグには１を格納し、許可しない場合には、照会フラグには０を格納する。
データＩＤは、当該チケットに関連付けられたインシデントデータがある場合に、インシデントデータを識別するためのものである。
元チケットＩＤは、当該チケットが追加チケットの場合に用いるものである。追加チケットである場合には、元チケットＩＤには、元チケットのチケットＩＤを格納する。
【００２６】
データ記憶部２３は、インシデントデータを記憶する記憶領域である。
図３に示すデータ記憶部２３は、データＩＤと、データ内容とを対応付けて記憶する。
データＩＤは、例えば、インシデントデータを受信した際に付与される、インシデントデータを識別するための識別情報である。
データ内容は、情報取得装置６が取得したインシデントデータそのものである。
なお、図３に示すチケット記憶部２２及びデータ記憶部２３は、一例であって、これに限定されるものではない。
また、記憶部２０は、他に、インシデントサービスを利用するエンドユーザサイトの作業者や、メーカ側コールセンタの担当者等に関する情報であるユーザ情報や、インシデントサービスを用いるためのログイン情報等を記憶している。
【００２７】
また、記憶部２０は、エンドユーザごとに、エンドユーザの設置している機械等（例えば、制御装置、各種工作機械、ロボット、ＰＬＣ等）に対応して、チケット発行先となる１つ以上のメーカ側コールセンタ（例えば、メーカＩＤ、連絡先等）を、予め設定した、エンドユーザ・メーカ対応テーブル（図示せず）を記憶してもよい。ここで、エンドユーザの設置している機械等（例えば、制御装置、各種工作機械、ロボット、ＰＬＣ等）に対して、複数のメーカ側コールセンタを対応付ける場合、チケット発行時の優先度を予め設定するようにしてもよい。そうすることで、１回目のチケット発行時には、優先度１番目の取引先に対して発行し、２回目のチケット発行時には、優先度２番目の取引先に発行する等、チケット発行先を自動的に設定することができる。
【００２８】
通信部２９は、外部機器（例えば、ユーザ側端末４及びメーカ側端末８等）とデータの送受信を行う通信制御デバイスである。
【００２９】
［ユーザ側端末４］
ユーザ側端末４は、エンドユーザサイトの工場内等に設けられた、例えば、パーソナルコンピュータ（ＰＣ）である。ユーザ側端末４は、図示しないが、一般的なコンピュータが有する制御部、記憶部、入力部、表示部、通信部等を備える。ユーザ側端末４は、インシデント管理装置１とのユーザインタフェース機能を提供する。なお、ユーザ側端末４はＷｅｂブラウザを備えるＷｅｂ端末として、インシデント管理装置１からＷｅｂによるユーザインタフェース機能を提供するようにしてもよい。
【００３０】
［情報取得装置６］
情報取得装置６は、前述したように、携帯端末や、ウェアラブルデバイス等である。情報取得装置６は、制御部と、記憶部との他に、画像及び音の少なくとも一方を含むインシデントデータを取得する取得部を備える。また、情報取得装置６は、取得したインシデントデータを送信するための通信部を備える。
情報取得装置６の通信部は、例えば、ユーザ側端末４に対してインシデントに係る状態を示す画像（写真、動画等）、インシデントにかかる音（例えば異音等）を含むインシデントデータを送信することで、ユーザ側端末４がインシデント管理装置１にインシデントデータを送信するようにしてもよい。ここで、ユーザ側端末４に対する送信は、有線通信であっても無線通信であってもよい。
【００３１】
なお、情報取得装置６がユーザ側端末４の全部又は一部の機能を備えることで、情報取得装置６は、チケットと紐づけたインシデントデータをインシデント管理装置１に送信するようにしてもよい。この場合、情報取得装置６は、Ｗｅｂブラウザを備えるＷｅｂ端末として、インシデント管理装置１からＷｅｂによるユーザインタフェース機能を提供するようにしてもよい。
【００３２】
［メーカ側端末８］
メーカ側端末８は、メーカ側コールセンタ内に設けられた、例えば、ＰＣである。メーカ側端末８は、図示しないが、一般的なコンピュータが有する制御部、記憶部、入力部、表示部、通信部等を備える。メーカ側端末８は、インシデント管理装置１とのユーザインタフェース機能を提供する。なお、メーカ側端末８はＷｅｂブラウザを備えるＷｅｂ端末として、インシデント管理装置１からＷｅｂによるユーザインタフェース機能を提供するようにしてもよい。
【００３３】
次に、インシデント管理装置１における処理について、図面を参照しながら説明する。
［チケット発行処理］
最初に、ユーザ側端末４がチケットを発行する一連の処理について説明する。
まず、エンドユーザサイトで、障害が発生し、又は、問い合わせしたい内容が生じた場合に、例えば、作業者がユーザ側端末４を用いて、インシデント管理装置１が提供するインシデントサービスにログインする。すると、ユーザ側端末４の表示部は、例えば、図４に示すメニュー画面３０を表示するので、作業者は、新規チケット発行ボタン３０ａを選択する。
【００３４】
インシデント管理装置１は、ユーザ側端末４からの依頼を受けて、図５のステップＳ（以降、「ステップＳ」を単に「Ｓ」という。）１１において、制御部１０は、チケットフォームを送信する。すると、ユーザ側端末４の表示部には、図６に示すチケット画面４０が表示される。チケット画面４０は、例えば、エンドユーザサイトにおいてインシデントの内容を入力するユーザ記入タブ４１が表示された状態になっている。
図６に示すユーザ記入タブ４１には、ユーザ情報領域４１ａと、インシデント情報領域４１ｂと、資料添付領域４１ｃと、チケット発行先情報４１ｄと、チケット発行ボタン４１ｅとを有する。なお、図６に示す項目は、一例であって、例えば、他の項目があってもよい。
【００３５】
ここで、制御部１０は、インシデント管理装置１が有する情報を入力したフォームを送信してもよいし、何も入力されていない空のチケットフォームを送信してもよい。具体的には、図６に示すユーザ情報領域４１ａの各項目について、制御部１０は、記憶部２０に記憶されたユーザ情報を自動的に入力してもよい。なお、自動的に入力した場合には、その項目について上書きにより更新可能であることが好ましい。
【００３６】
作業者は、チケット画面４０のユーザ記入タブ４１に、必要事項を入力する。ここで、作業者は、前述したように、最初から全ての項目に対する入力を行わなくてよい。チケットは、後からの情報の追加を許容して、チケットの内容を円熟させることができる。
しかし、図６に示すチケット発行先情報４１ｄは、チケットの送信先、つまり、回答の要求先になるため、入力が必要な項目である。そこで、チケット発行先情報４１ｄが未入力の場合には、例えば、チケット発行を行うことを許可せずに、入力を促すようにしてもよい。なお、前述したように、記憶部２０にエンドユーザ・メーカ対応テーブル（図示せず）を予め設定している場合、チケット発行先情報４１ｄを、エンドユーザ・メーカ対応テーブルに基づいて、自動的に設定するようにしてもよい。
そして、作業者がチケット発行ボタン４１ｅを選択することで、ユーザ側端末４からチケットが発行され、インシデント管理装置１に対してチケットの入力内容が送信される。
【００３７】
図５のＳ１２において、インシデント管理装置１の制御部１０（発行チケット受信部１１）は、ユーザ側端末４からチケットを受信する。
Ｓ１３において、制御部１０は、受信したチケットの内容を、チケット記憶部２２に記憶させる。その際、制御部１０は、チケットＩＤを付与して、インシデント情報と対応付ける。
【００３８】
ここで、前述したように、情報取得装置６が取得した、インシデントに係る状態を示す画像（写真、動画等）、インシデントにかかる音（例えば異音等）を含むインシデントデータを、チケットに付加する場合には、図６に示すチケット画面４０のユーザ記入タブ４１からインシデントデータを登録することができる。例えば、作業者が資料添付領域４１ｃに、インシデントデータの格納先を指定することで、インシデントデータを登録する。
インシデントデータを登録した場合には、インシデントデータ受信部１２が、インシデントデータを受信して、インシデントデータをデータ記憶部２３に記憶させる。その際、制御部１０は、データＩＤを付与して、インシデントデータに対応付ける。また、データ関連付け部１３が、データ記憶部２３に記憶される際に付与されたデータＩＤを、チケット記憶部２２の当該チケットＩＤに対応したデータＩＤに登録することで、関連付けをする。
【００３９】
［チケット発行後処理］
図５のＳ１４において、制御部１０は、対応が必要なチケットが到着したことを、チケットに指定されたメーカ側コールセンタのメーカ側端末８に通知する。ここで、メーカ側端末８への通知方法は、各種の公知の方法によって行われるものであってよい。例えば、ｐｕｓｈ型電子メールを用いた通知であってもよいし、インシデント管理装置１が提供するインシデントサービスの画面にポップアップ表示させる等による通知であってもよい。
Ｓ１５において、制御部１０は、メーカ側端末８からの要求を受けて、当該チケットをメーカ側端末８に送信することで、メーカ側端末８の表示部には、チケットが表示される。
【００４０】
なお、インシデント管理装置１が受信したチケットを、チケットに指定されたメーカ側コールセンタのメーカ側端末８に通知し、送信する方法は、これに限定されるものではない。メーカ側コールセンタのメーカ側端末８がインシデントサービスにログインした状態であれば、制御部１０は、例えば、通知することなく、メーカ側端末８に直接チケットを送信してもよい。
【００４１】
メーカ側コールセンタでは、担当者がメーカ側端末８の表示部に表示されたチケットを参照する。図７は、メーカ側端末８の表示部に表示されるチケット画面４０の例を示す。チケット画面４０は、ユーザ記入タブ４１に加えて、メーカ側コールセンタにおいてインシデントの内容に対する回答を入力するメーカ記入タブ４２を備える。ここで、メーカ側コールセンタの担当者がユーザ記入タブ４１を選択すると、ユーザ側端末４で入力したインシデントの内容を参照することができる。なお、メーカ側コールセンタにおいて、メーカ記入タブ４２は入力可能だが、ユーザ記入タブ４１は参照のみである。
【００４２】
メーカ側コールセンタでは、インシデント情報を参照した担当者等によって、エンドユーザサイトに対するサポートを実施する。メーカ側コールセンタによるサポートとは、例えば、メーカ側コールセンタの保守作業者が工場に赴いて、機械等に対する保守作業を行ったり、インシデント情報に含まれる質問に対して回答を行ったりすることをいう。
また、メーカ側コールセンタにおいて、リモートによる点検又は保守等を行ってもよい。リモートによる保守としては、例えば、現状確認やオプション機能の追加、バージョンアップの実施、検査用プログラムの提供等がある。
【００４３】
ここで、メーカ側コールセンタでは、メーカ側端末８を用いて、該当のチケットに対する、例えば、進捗状況や、対応履歴等の入力を、随時行うことができる。ここで、進捗状況とは、例えば、検討中、工場問い合わせ中、部品調達中等である。このようなメーカ側端末８からの随時の入力によって、該当のチケットは、常に最新の状況を示すようにできる。
【００４４】
図７に示すメーカ記入タブ４２は、メーカ情報領域４２ａと、対応記入領域４２ｂと、資料添付領域４２ｃと、回答先情報領域４２ｄと、同意項目領域４２ｅと、回答ボタン４２ｆとを有する。なお、図７に示す項目は、一例である。
ここで、制御部１０は、メーカ情報領域４２ａの各項目について、ユーザ記入タブ４１のチケット発行先情報４１ｄの内容を自動的に入力してもよい。対応記入領域４２ｂは、担当者によって随時入力及び変更する。回答先情報領域４２ｄは、ユーザ記入タブ４１のユーザ情報領域４１ａの内容を、制御部１０が自動的に入力してもよい。同意項目領域４２ｅは、対応記入領域４２ｂに記入した回答内容や、資料添付領域４２ｃに添付した資料を、ユーザ判断で他社に展開することに同意するか否かの意思を示すためのチェックボックスを有する。メーカ側コールセンタにおいて、記載内容に同意するのであれば、チェックをした状態にし、同意しないのであれば、チェックを外した状態にする。
担当者が、回答ボタン４２ｆを押下操作することで、この入力をチケットに対する回答として、メーカ側端末８からインシデント管理装置１に送信される。
【００４５】
図５のＳ１６において、制御部１０（回答受信部１４）は、メーカ側端末８が入力したチケットに対する回答を受信する。そして、制御部１０は、受信した回答を、チケット記憶部２２の該当のチケットのレコードに追加して更新する。なお、チケット記憶部２２の照会フラグには、図７の同意項目領域４２ｅの入力に対応するフラグを設定する。
また、制御部１０は、チケットに回答が入力されたことを、エンドユーザサイトのユーザ側端末４に通知し、当該チケットをユーザ側端末４の表示部に表示させてもよい。
【００４６】
［回答後処理］
図５のＳ１７において、制御部１０は、ユーザ側端末４から要求を受けて、当該チケットをユーザ側端末４に送信することで、ユーザ側端末４の表示部に、チケットを表示させる。そして、エンドユーザサイトでは、メーカ側コールセンタが回答を入力したチケットを参照する。図８は、ユーザ側端末４の表示部に表示されるチケット画面４０の例を示す。チケット画面４０は、ユーザ記入タブ４１と、メーカ記入タブに加えて、例えば、さらにメーカ側コールセンタに問い合わせするための入力をするユーザ記入タブ４３を備える。
図８に示すユーザ記入タブ４３には、対応完了ボタン４３ａと、対応未完了ボタン４３ｂと、依頼先選択領域４３ｃと、ユーザ情報領域４３ｄと、インシデント情報領域４３ｅと、チケット発行先情報領域４３ｆと、チケット再発行ボタン４３ｇとを有する。
【００４７】
図５のＳ１８において、制御部１０は、チケットをクローズするか否かを判断する。
インシデントが解決され、対応内容に満足した場合には、エンドユーザサイトにおいて、インシデントサービスを用いた一連の処理が終了する。この場合、ユーザ側端末４では、表示部に表示されたユーザ記入タブ４３の対応完了ボタン４３ａを押下することで、制御部１０は、当該チケットをクローズすると判断する。なお、ユーザ記入タブ４３は、例えば、メーカ側コールセンタにおいて回答ボタンが押下したことにより、追加されるものである。チケットをクローズすると判断された場合（Ｓ１８：ＹＥＳ）には、制御部１０は、本処理を終了する。
【００４８】
他方、対応内容に満足しない場合や、対応内容によってさらに問い合わせをしたい場合には、ユーザ側端末４では、表示部に表示されたユーザ記入タブ４３の対応未完了ボタン４３ｂを押下する。そうすることで、制御部１０は、当該チケットをクローズしないと判断する。チケットをクローズしないと判断された場合（Ｓ１８：ＮＯ）には、ユーザ側端末４によって、さらに必要な項目を入力の上、チケット再発行ボタン４３ｇが押下されたことに応じて、制御部１０は、処理をＳ１９に移す。
【００４９】
ここで、さらに問い合わせをしたい場合について、具体例に基づき説明する。
エンドユーザサイトでは、まず、産業用ロボット９ｂについてのインシデントに対するチケットを、システムインテグレータに対して発行したが、満足の得られる回答が得られなかったとする。その場合、産業用ロボット９ｂは、産業用ロボット９ｂ自体の機械メーカの他、ハンド、センサ、ＰＬＣ（Ｐｒｏｇｒａｍｍａｂｌｅ  Ｌｏｇｉｃ  Ｃｏｎｔｒｏｌｌｅｒ）等といった、産業用ロボット９ｂを構成する様々な部品のメーカが複合的に絡んでいる。そのため、エンドユーザサイトは、これらのメーカのうちのいずれかにチケットを発行する。
【００５０】
ユーザ側端末４では、図８に示すチケット画面４０のユーザ記入タブ４３に、必要事項を入力する。図８に示すユーザ情報領域４３ｄと、インシデント情報領域４３ｅとには、制御部１０がユーザ記入タブ４１で入力済の情報を自動で入力させてもよい。また、チケット発行先情報領域４３ｆには、依頼先選択領域４３ｃで「継続して同じメーカへの対応を依頼」が選択された場合には、制御部１０がユーザ記入タブ４１で入力済の情報を自動で入力させてもよい。
そして、作業者がチケット再発行ボタン４３ｇを選択することで、ユーザ側端末４から追加チケットが発行され、インシデント管理装置１に対してチケットの入力内容が送信される。
【００５１】
Ｓ１９において、制御部１０（追加チケット受信部１５）は、ユーザ側端末４から追加チケットを受信する。
Ｓ２０において、制御部１０は、受信した追加チケットの内容を、チケット記憶部２２に記憶させる。その際、制御部１０は、チケットＩＤを付与して、インシデント情報と対応付ける。また、制御部１０（チケット関連付け部１６）は、元のチケットと、追加チケットとを対応付ける。より詳細には、制御部１０は、チケット記憶部２２に記憶させたチケットの元チケットＩＤの項目に、元チケットのチケットＩＤを格納する。その後、制御部１０は、処理をＳ１４に移す。
このように、エンドユーザサイトで対応完了ボタンが押下されるまで、インシデント管理装置１では、チケットがクローズされず、継続中になる。また、最初のチケットには、回答と更なる追加チケットが関連付けられる。
【００５２】
［メーカ側端末８での表示について］
上記した処理によって、チケットには、複数の追加チケットが関連付けられる場合がある。メーカ側端末８に送信するチケットとして、制御部１０は、チケット記憶部２２を参照し、メーカ側端末８のメーカＩＤが格納されたチケット及び追加チケットの他、照会フラグが照会可であるチケット及び追加チケットについては、他のメーカ側コールセンタで回答した内容であってもメーカ記入タブを表示可能にする。他方、他のメーカ側コールセンタで回答したものであって、照会フラグが照会不可であるチケット及び追加チケットについては、メーカ記入タブを表示させないか、又は、参照不可にすればよい。
【００５３】
［照会処理］
次に、チケットにより管理されるインシデント情報（以下、略して「チケット」ともいう）の照会に対する処理について説明する。
インシデントサービスでは、ユーザ側端末４と、メーカ側端末８との両方において、チケットの検索を可能にしている。
以下において、メーカ側端末８で照会を行う場合について説明する。
【００５４】
図４に示すメニュー画面３０のチケット検索ボタン３０ｂが選択されると、メーカ側端末８の表示部には、図９に示す検索条件入力画面５０が表示される。担当者は、検索条件指定領域５０ａの該当の検索条件のチェックボックスにチェックを入れ、値を入力した上で、検索ボタン５０ｂを押下する。そうすると、インシデント管理装置１の制御部１０（情報提供部１８）は、指定された条件に合致したチケットを、チケット記憶部２２から抽出して一覧を生成し、メーカ側端末８に送信する。そして、メーカ側端末８では、例えば、図１０に示す検索結果画面６０が表示部に表示される。
【００５５】
この図９に示す検索条件は、一例であり、他の検索条件があってもよい。また、複数の条件を指定可能にしてもよく、複数の条件が指定された場合には、制御部１０（情報提供部１８）は、指定された複数の条件の全てを満たすチケットを、チケット記憶部２２から抽出してもよい。
【００５６】
ここで、インシデント管理装置１の制御部１０（情報提供部１８）による検索条件に合致したチケットを抽出する処理について説明する。前述したように、チケット記憶部２２は、チケット発行元であるエンドユーザサイトを識別するユーザＩＤと、依頼先のメーカ側コールセンタを識別するメーカＩＤとを対応付けて、チケットを格納している（図３参照）。制御部１０（情報提供部１８）は、ログイン情報によって、ユーザ側端末４の場合にはユーザＩＤを特定でき、メーカ側端末８の場合にはメーカＩＤを特定できる。
照会処理を行う端末がユーザ側端末４であれば、制御部１０（情報提供部１８）は、検索条件入力画面５０により入力された検索条件を満たし、かつ、ユーザＩＤがユーザ側端末４であるチケットのレコードを抽出すればよい。
【００５７】
他方、照会を行う端末がメーカ側端末８であれば、制御部１０（情報提供部１８）は、検索条件入力画面５０により入力された検索条件を満たし、メーカＩＤがメーカ側端末８であるチケットのレコードを抽出する。そして、抽出したレコードの元チケットＩＤの項目にチケットＩＤが格納されていれば、制御部１０（情報提供部１８）は、格納されたチケットＩＤのレコードをも抽出する。このようにして抽出されたレコードは、他のメーカ側コールセンタを識別するメーカＩＤが格納されたものもありうる。この場合、制御部１０（チケット照会判定部１７）は、抽出したレコードの照会フラグを参照し、照会を許容するものであれば、そのチケットを抽出結果に含める。
【００５８】
図１０に示す検索結果画面６０は、検索条件に合致したチケットを一覧表示したものである。なお、表示項目や、並び順等は、適宜変更できるようにしてもよい。また、表示されたチケットＩＤそのものを選択することで、選択されたチケットＩＤを有するチケットを、チケット画面４０に出力するようにしてもよい。
【００５９】
このように、インシデント管理装置１の制御部１０は、エンドユーザサイトで入力したインシデント情報をチケットとして管理し、チケットは、エンドユーザサイトと、メーカ側コールセンタとの両方から参照及び更新を可能にする。よって、エンドユーザサイトを起点とした、新たなインシデント管理の仕組みを構築できる。また、エンドユーザサイトでは、メーカ側コールセンタでの対応状況を、必要な時に把握できるようになる。
【００６０】
また、インシデント管理装置１の制御部１０（追加チケット受信部１５）は、ユーザ側端末４がメーカ側コールセンタ又は異なる取引先に属するコールセンタに対して発行される追加チケットを受信することができる。そして、インシデント管理装置１の制御部１０（チケット関連付け部１６）は、チケットと、当該チケットと同一のインシデントに係る追加チケットとを関連付けることができる。
そうすることで、エンドユーザサイトでは、チケットに対する回答によって、他のメーカ側コールセンタに同じ問い合わせをする場合に、元のチケットを流用すればよく、エンドユーザサイトでの入力が簡単になる。
【００６１】
また、チケットは、機械情報、現場状況、進捗状況、対応履歴の少なくとも１つに関する項目を含み、かつ、項目の内容がＮＵＬＬであることを許容する。
そうすることで、エンドユーザサイトでは、項目が空のチケットであってもすぐに発行できるため、利便性に富んだものにできる。また、後から情報を追加していくことで、チケットを円熟させていくことができる。
【００６２】
また、インシデント管理装置１の制御部１０（チケット照会判定部１７）は、メーカ側コールセンタが指定する、チケットの内容の照会可否に関する照会フラグが照会可の場合にのみ、当該チケットの内容を、他の取引先に属するコールセンタのコンピュータから確認可能にすることができる。
そうすることで、メーカ側コールセンタでは、インシデントに対する回答を、他のメーカ側コールセンタに開示したくない場合に、回答に開示をしないよう指定をしておくことで、他のメーカ側コールセンタに、回答内容を開示させないように、メーカ側コールセンタが、自身が入力情報の参照可否を設定できる。
【００６３】
また、インシデント管理装置１の制御部１０（インシデントデータ受信部１２）は、情報取得装置６が取得した画像及び／又は音を含むインシデントデータを受信することができる。そして、制御部１０（データ関連付け部１３）は、インシデントデータに関連するチケットと、インシデントデータとを関連付けることができる。
そうすることで、メーカ側コールセンタでは、インシデント情報と、インシデントデータとを見ながらインシデントに対する対処をすることができるため、より早期にインシデントを解決させることが可能になる。
【００６４】
（第１実施形態の変形例１）
前述した第１実施形態では、インシデント管理装置が、ユーザ側端末から入力されたインシデント情報を管理するものを例に説明したが、これに限定されない。例えば、工場内のエッジ機器に接続されたエッジサーバが送信するインシデント情報を、インシデント管理装置が管理してもよい。
図１１に示すインシデント管理システム１００−２は、インシデント管理装置１と、エッジサーバ２０４と、メーカ側端末８とを備える。エッジサーバ２０４は、エッジ機器である工作機械９ａ及び産業用ロボット９ｂに対しては、ＬＡＮ等により通信可能に接続されている。また、エッジサーバ２０４は、通信ネットワークＮを介してインシデント管理装置１と接続されている。さらに、エッジサーバ２０４は、表示部及び入力部の機能を有する端末と接続されている。
【００６５】
エッジサーバ２０４は、チケットと共に、エッジ機器から受信した機械情報等を含むインシデント情報を、インシデント管理装置１に送信するようにしてもよい。
このようにすれば、エンドユーザサイトで手入力をしていた情報の少なくとも一部は、エッジ機器から受信したデータに代えられる。そのため、人手による入力が省力化できると共に、インシデントの解決に必要なデータを、メーカ側コールセンタに参照させることができ、インシデントの解決時間を短縮できる可能性がある。
また、メーカ側端末８と、エッジサーバ２０４とは、通信ネットワークＮを介して接続されているため、エッジサーバ２０４の設定によっては、メーカ側端末８からエッジサーバ２０４に、インシデントの原因等を見極めるためのデータを、直接取得することができ、インシデントの解決を早期に図ることができる可能性がある。
【００６６】
（第１実施形態の変形例２）
前述した第１実施形態では、情報取得装置からユーザ側端末にインシデントデータを送信し、ユーザ側端末が、チケットとインシデントデータとをまとめて送信するものを例に説明したが、これに限定されない。例えば、情報取得装置の通信部は、通信ネットワークを介して直接にインシデント管理装置に対してインシデントデータを送信してもよい。その場合、対応するチケットを特定できるように、例えば、チケットＩＤが分かる態様でインシデントデータを送信してもよいし、インシデントデータを送信後に、ユーザ側端末において、チケットとインシデントデータとの関連付けを設定してもよい。
【００６７】
（第２実施形態）
次に、第２実施形態について説明する。第２実施形態では、インシデントに対応するチケットに、インシデント対象装置である機械やデバイスの設定情報を関連付ける。
なお、以降の説明において、上述した第１実施形態と同様の機能を果たす部分には、同一の符号又は末尾に同一の符号を付して、重複する説明を適宜省略する。
【００６８】
［インシデント管理システム１００−３］
インシデント管理システム１００−３は、インシデント管理装置３０１が、インシデントに対応するチケットを管理することに加えて、インシデント対象装置である機械やデバイスの設定情報をチケットに関連付けるシステムである。そうすることで、インシデント管理システム１００−３では、チケットへの手入力による入力を抑えて、有効な情報をチケットと共に参照できる。
【００６９】
図１２に示すインシデント管理システム１００−３は、インシデント管理装置３０１と、ユーザ側端末４と、メーカ側端末８の他、読取装置３０６（携帯端末）と、設定情報管理装置３０７とを備える。
読取装置３０６は、例えば、携帯電話会社等である通信事業者の携帯端末通信網用の基地局である基地局Ｂｓ等を介して、通信ネットワークＮに接続される。
設定情報管理装置３０７は、例えば、通信ネットワークＮに直接接続される。
【００７０】
［インシデント管理装置３０１］
図１３に示すように、インシデント管理装置３０１は、制御部３１０と、記憶部３２０と、通信部２９とを備える。
制御部３１０は、発行チケット受信部１１と、設定情報受信部３１２と、設定情報関連付け部３１３と、回答受信部１４と、追加チケット受信部１５と、チケット関連付け部１６と、チケット照会判定部１７と、情報提供部１８と、本人認証処理部３１９とを備える。これらの各機能部は、制御部３１０がプログラム記憶部３２１に格納されたインシデント管理プログラム３２１ａを実行することにより実現される。
【００７１】
設定情報受信部３１２は、設定情報管理装置３０７の設定情報ＤＢ（データベース）３７６に記憶されたインシデント対象装置である工作機械９ａや産業用ロボット９ｂ等の設定情報を、例えば、設定情報管理装置３０７から受信する。設定情報は、例えば、メーカ等の取引先において、工作機械９ａや産業用ロボット９ｂ等を出荷するときに、設定情報ＤＢ３７６に登録される。設定情報は、例えば、機械のシリアル番号や、出荷時の検査データ、パラメータ等であり、パラメータは、例えば、追加オプションや、オプションの指定を示すものである。
設定情報関連付け部３１３は、発行チケット受信部１１が受信したチケットと、設定情報受信部３１２が受信した設定情報とを関連付ける。
【００７２】
本人認証処理部３１９は、設定情報管理装置３０７から本人認証に係る照会を受信した場合に、本人認証情報記憶部３２４に基づいて本人認証を行い、認証結果を設定情報管理装置３０７に送信する。
【００７３】
記憶部３２０は、プログラム記憶部３２１と、チケット記憶部２２と、データ記憶部２３と、本人認証情報記憶部３２４とを備える。
プログラム記憶部３２１は、前述した制御部３１０の各種機能を実行するインシデント管理プログラム３２１ａを記憶している。
本人認証情報記憶部３２４は、本人認証を行うために必要な情報を記憶する記憶領域である。本人認証情報記憶部３２４は、例えば、ログイン情報としてアカウントごとのパスワードを記憶する。なお、本人認証情報記憶部３２４は、本人認証を行うために必要な情報であれば、他の情報であってもよく、例えば、指紋による認証の場合には、指紋の特徴量等であってもよい。
【００７４】
［読取装置３０６］
読取装置３０６は、例えば、スマートフォン、タブレット等の携帯端末である。読取装置３０６は、エンドユーザサイトに有する。読取装置３０６は、エンドユーザサイトの作業者の操作により、工作機械９ａや産業用ロボット９ｂに付与されたＱＲコード（登録商標）（コード）を読み取って設定情報管理装置３０７に接続し、設定情報管理装置３０７との間で通信を行う。
図１４Ａに示すように、読取装置３０６は、制御部３６０と、記憶部３６５と、撮影部３６７（読取部）と、タッチパネルディスプレイ３６８と、通信部３６９とを備える。
制御部３６０は、ＣＰＵであってよく、記憶部３６５に記憶された読取装置３０６を制御する各種のプログラム（図示せず）を実行することにより、読取装置３０６を統括制御する。
【００７５】
制御部３６０は、コード読取部３６１と、接続部３６２と、設定情報指定部３６３と、本人認証送信部３６４とを備える。
コード読取部３６１は、インシデント対象装置である工作機械９ａや産業用ロボット９ｂに付与されたＱＲコードを、撮影部３６７を介して読み取る。
接続部３６２は、コード読取部３６１がＱＲコードを読み取ることで、設定情報管理装置３０７に接続する。ここで、ＱＲコードには、設定情報管理装置３０７にアクセスするための、例えば、ＵＲＬ（Ｕｎｉｆｏｒｍ  Ｒｅｓｏｕｒｃｅ  Ｌｏｃａｔｏｒ）等の接続情報が含まれる。また、ＱＲコードは、ＱＲコードが付与された装置を識別するためのコードＩＤ（装置識別情報）を含む。
【００７６】
設定情報指定部３６３は、設定情報管理装置３０７の設定情報ＤＢ３７６のうち、インシデント対象装置の設定情報を指定する。設定情報指定部３６３による指定は、例えば、ＱＲコードに工作機械９ａや産業用ロボット９ｂを識別する情報を含んでいれば、エンドユーザサイトの作業者が入力等をすることなく行うことができる。また、例えば、設定情報管理装置３０７は、読取装置３０６が接続され、後述する本人認証処理を行うと、エンドユーザサイトのログイン情報に基づいて、エンドユーザサイトに有する工作機械９ａや産業用ロボット９ｂである複数の候補を、読取装置３０６に出力させてもよい。そうした場合に、設定情報指定部３６３による指定は、エンドユーザサイトの作業者が複数の候補から１つを選択する操作を行うものであってもよい。
本人認証送信部３６４は、例えば、タッチパネルディスプレイ３６８から入力された本人認証に用いる本人認証情報を、設定情報管理装置３０７に送信する。
【００７７】
記憶部３６５は、制御部３６０により実行されるプログラム等を記憶する記憶領域である。
撮影部３６７は、例えば、カメラであり、ＱＲコードを撮影して、ＱＲコードの読み取りに用いる。
タッチパネルディスプレイ３６８は、エンドユーザサイトの作業者の指によるタッチ操作を受け付ける入力部としての機能と、表示部としての機能との両方の役割を担う。
通信部３６９は、外部機器（例えば、設定情報管理装置３０７等）とデータの送受信を行う通信制御デバイスである。
【００７８】
［設定情報管理装置３０７］
設定情報管理装置３０７は、例えば、メーカ側の情報処理センタ等、メーカ側センタに有するサーバである。この例では、設定情報管理装置３０７をメーカ側センタに有するものとして説明するが、後述するように、設定情報管理装置３０７は、メーカ側センタ以外で有してもよい。
図１４Ｂに示すように、設定情報管理装置３０７は、制御部３７０と、記憶部３７５と、通信部３７９とを備える。
制御部３７０は、ＣＰＵであってよく、記憶部３７５に記憶された設定情報管理装置３０７を制御するプログラム（図示せず）を実行することにより、設定情報管理装置３０７を統括制御する。
【００７９】
記憶部３７５は、制御部３７０により実行されるプログラム等を記憶する記憶領域である。また、記憶部３７５は、設定情報ＤＢ３７６を備える。
設定情報ＤＢ３７６は、当該メーカ側が製造、設定等を行った工作機械９ａ及び産業用ロボット９ｂの設定情報を、コードＩＤに対応付けて記憶している。
通信部３７９は、外部機器（例えば、インシデント管理装置３０１や、読取装置３０６等）とデータの送受信を行う通信制御デバイスである。
【００８０】
次に、インシデント管理装置３０１における処理について、図面を参照しながら説明する。
図１５に示すチケット更新処理において、Ｓ３１１からＳ３１３までの処理は、第１実施形態（図５）のＳ１１からＳ１３までの処理と同じである。
Ｓ３１３ａにおいて、インシデント管理装置３０１の制御部３１０は、図１６に示す設定情報関連付け処理を行う。
【００８１】
図１６のＳ３３１において、読取装置３０６の制御部３６０（コード読取部３６１）は、インシデント対象装置である工作機械９ａや産業用ロボット９ｂに付与されたＱＲコードを、撮影部３６７を介して読み取る。
【００８２】
図１７Ａに示すように、工作機械９ａには、ＱＲコード３３１が印刷されたシールが可視位置に貼り付けられていてもよい。その場合には、エンドユーザサイトの作業者は、シールに印刷されたＱＲコード３３１を、読取装置３０６を用いて読み取る。
また、図１７Ｂに示すように、工作機械９ａの表示装置３０９に、ＱＲコード３３２を表示させてもよい。例えば、工作機械９ａは、インシデントが発生したことに応じて、表示装置３０９にＱＲコード３３２を表示させてもよい。また、エンドユーザサイトの作業者によるオペレーション操作によって、表示装置３０９にＱＲコード３３２を表示させてもよい。その場合には、エンドユーザサイトの作業者は、表示装置３０９に表示されたＱＲコード３３２を、読取装置３０６を用いて読み取る。
【００８３】
そして、読取装置３０６の制御部３６０（接続部３６２、設定情報指定部３６３）は、ＱＲコードを読み取ることで得られた接続情報に基づき、設定情報管理装置３０７に対して接続する。
Ｓ３３２において、設定情報管理装置３０７の制御部３７０は、読取装置３０６が接続されたことを確認する。
Ｓ３３３において、設定情報管理装置３０７の制御部３７０は、読取装置３０６に対して本人認証を要求する。
【００８４】
Ｓ３３４において、読取装置３０６の制御部３６０（本人認証送信部３６４）は、本人認証の要求を受信したことに応じて、本人認証情報を送信する。
Ｓ３３５において、設定情報管理装置３０７の制御部３７０は、読取装置３０６から本人認証情報を受信したことに応じて、本人認証照会を、インシデント管理装置３０１に対して行う。
Ｓ３３６において、インシデント管理装置３０１の制御部３１０（本人認証処理部３１９）は、受信した本人認証情報と、本人認証情報記憶部３２４とに基づいて本人認証を行い、認証結果を設定情報管理装置３０７に送信する。
【００８５】
Ｓ３３７において、設定情報管理装置３０７の制御部３７０は、本人認証ができた場合には、Ｓ３３１の処理によって読取装置３０６から受信した、ＱＲコードを読み取ることで得られたコードＩＤに基づき、設定情報ＤＢ３７６における設定情報の指定を行う。
Ｓ３３８において、設定情報管理装置３０７の制御部３７０は、指定に対応した設定情報を、インシデント管理装置３０１に対して送信する。
【００８６】
Ｓ３３９において、インシデント管理装置３０１の制御部３１０（設定情報関連付け部３１３）は、受信した設定情報を、設定されたチケットに関連付ける。
ここで、Ｓ３３８において、設定情報管理装置３０７が設定情報の他にコードＩＤを送信してもよい。その場合、インシデント管理装置３０１の制御部３１０は、例えば、コードＩＤと、機械のシリアル番号とを対応付けて管理してもよい。
その後、制御部３１０は、処理を図１５のＳ３１４に移す。
【００８７】
図１５のＳ３１４からＳ３２０までの処理は、第１実施形態（図５）のＳ１４からＳ２０までの処理と同じである。
【００８８】
このように、インシデント管理システム１００−３では、インシデントが発生した場合に、エンドユーザサイトの作業者が、読取装置３０６を用いて、インシデント対象装置である工作機械９ａ又は産業用ロボット９ｂに付与されたＱＲコードを読み取る。そうすると、読取装置３０６は、ＱＲコードに設定された接続情報によって、設定情報管理装置３０７に通信し、ＱＲコードが付与された工作機械９ａ又は産業用ロボット９ｂの設定情報を、インシデント管理装置３０１に送信する。
その結果、インシデント管理装置の制御部３１０は、設定情報を、チケットに関連付けることができるため、インシデントの解決に有用な設定情報を簡単に参照可能な環境を提供でき、便利である。
【００８９】
また、設定情報のインシデント管理装置３０１への送信は、読取装置３０６を操作するエンドユーザサイトの作業者についての本人認証が行えた場合に制限する。そうすることで、インシデント管理装置３０１についての権限を有する者に作業を限定でき、セキュリティを向上できる。
【００９０】
（第２実施形態の変形例１）
前述した第２実施形態では、工作機械９ａや産業用ロボット９ｂにＱＲコードが付与された場合を例に説明したが、これに限定されない。例えば、ＱＲコード以外の二次元コードであってもよいし、バーコード等であってもよい。
また、工作機械９ａや産業用ロボット９ｂに付与されるものは、コードに限定されず、工作機械９ａや産業用ロボット９ｂを特定可能な装置識別情報であってもよい。装置識別情報としては、例えば、シリアル番号やエンドユーザサイトにて工作機械９ａや産業用ロボット９ｂにつけた固有の名称等、工作機械９ａや産業用ロボット９ｂを特定できるものである。その場合には、設定情報管理装置３０７に接続するための情報を、工作機械９ａや産業用ロボット９ｂの可視位置に付与しておくことが望ましい。
【００９１】
（第２実施形態の変形例２）
前述した第２実施形態では、設定情報管理装置をメーカ側センタに有する場合を例に説明したが、これに限定されない。特に、エンドユーザサイトで長年使用している工作機械９ａ及び産業用ロボット９ｂについては、メーカ側センタに設定情報を有さない場合がある。そのような場合には、エンドユーザサイトに設定情報管理装置を設け、設定情報ＤＢを、エンドユーザサイトの作業者等によって作成してもよい。そして、エンドユーザサイトの設定情報管理装置に接続するための、新たに付与されたＱＲコードを印刷したシールを、工作機械９ａ及び産業用ロボット９ｂの可視位置に貼付すればよい。
【００９２】
（第２実施形態の変形例３）
前述した第２実施形態では、本人認証を、パスワードを用いるものを例に説明したが、これに限定されない。例えば、前述したように、指紋認証等の生体認証による本人認証であってもよいし、ワンタイムパスワードを用いるものであってもよい。
【００９３】
（第２実施形態の変形例４）
前述した第２実施形態では、インシデント管理装置が、設定情報管理装置から設定情報を受信するものを例に説明したが、これに限定されない。読取装置が設定情報管理装置から設定情報を受信し、読取装置が、設定情報をインシデント管理装置に対して送信するものであってもよい。
【００９４】
（第２実施形態の変形例５）
前述した第２実施形態では、設定情報ＤＢを設定情報管理装置が制御するものを例に説明したが、これに限定されない。インシデント管理装置が設定情報ＤＢを制御してもよい。その場合、インシデント管理装置は、ＱＲコードのコードＩＤを、機械情報と、メーカ情報とに対応付けて管理し、コードＩＤと、エンドユーザサイトの作業者の本人認証情報とを対応付ける。そうすることで、本人認証ができた場合にのみ設定情報を、チケットに関連付けられるようにできる。
【００９５】
なお、各実施形態で使用するプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（ｒａｎｄｏｍ  ａｃｃｅｓｓ  ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９６】
前述した各実施形態は、本発明の好適な実施形態ではあるが、上記実施形態のみに本発明の範囲を限定するものではなく、本発明の要旨を逸脱しない範囲において種々の変更を施した形態での実施が可能である。
【００９７】
（変形形態の例１）
前述した実施形態では、追加チケットを、元のチケットとは異なるチケットとし、追加チケットと、元のチケットとを関連付けるものを例に説明したが、これに限定されない。追加チケットを、元のチケットに対して新たな情報を追加可能なものにして、元のチケットと、追加チケットとを１つのチケットとしてもよい。したがって、本発明の解釈に際して、追加チケットは、元のチケットとは異なるチケットのみならず、元のチケットに新たな情報を追加してできるチケットを含むものである。そうすることで、後者の場合には、例えば関連付けを必要とせず、一元的に情報を管理することができる。
【００９８】
（変形形態の例２）
前述した実施形態では、インシデント管理装置について特に言及をしていないが、インシデント管理装置は、例えば、クラウドサーバ上に存在してもよい。
（変形形態の例３）
前述した実施形態では、チケット記憶部は、チケット内容を更新するものとして説明したが、更新履歴を有するようにしてもよい。
【００９９】
以上のように、本実施形態によれば、例えば以下の作用効果が得られる。
（１）機械及び／又はデバイスが稼働するエンドユーザサイトのユーザ側端末４と、機械及び／又はデバイスのメーカを含む取引先のコールセンタのメーカ側端末８とに対して接続され、エンドユーザサイトで発生したインシデントに対する取引先による解決をサポートするためのインシデント管理装置１が、ユーザ側端末４がメーカ側端末８に対して発行する、インシデントに対応したチケットを受信する発行チケット受信部１１と、メーカ側端末８がユーザ側端末４に対して行う、発行されたチケットに対する回答を受信する回答受信部１４と、ユーザ側端末４が発行する、前記チケットと同一のインシデントに係る新たな情報を追加可能な追加チケットを受信する追加チケット受信部１５と、ユーザ側端末４、及びメーカ側端末８からの、前記インシデントの進捗状況の照会要求に対して、前記チケットにより管理されるインシデント情報を検索して、それぞれユーザ側端末４、及びメーカ側端末８に対して検索結果を提供する情報提供部１８と、を備える。
これにより、エンドユーザは、エンドユーザサイトを起点にしてインシデントを管理し、インシデントの進捗状況を把握することができる。また、取引先のコールセンタにおいては、インシデント情報を検索して仕掛中のインシデントに対する回答を記入できる。
【０１００】
（２）  （１）に記載のインシデント管理装置１において、追加チケット受信部１５は、ユーザ側端末４がメーカ側端末８に対して発行する、追加チケットを受信してもよい。
これにより、エンドユーザは、当該インシデントに関連する新たな問い合わせを、先に問い合わせた取引先のコールセンタに対して行うことができる。
【０１０１】
（３）  （１）に記載のインシデント管理装置１において、追加チケット受信部１５は、ユーザ側端末４が、前記取引先のコールセンタが属する取引先とは異なる取引先に属するコールセンタのメーカ側端末８に対して発行する、追加チケットを受信してもよい。
これにより、エンドユーザは、当該インシデントに関連する機械に係る複数の取引先（例えば、工作機械メーカ、制御装置メーカ、センサメーカ等）を活用して、当該インシデントに関連する新たな問い合わせを行うことができる。
【０１０２】
（４）  （１）から（３）までのいずれかに記載のインシデント管理装置１において、チケットと、前記チケットと同一のインシデントに係る追加チケットとを関連付けるチケット関連付け部１６を備えてもよい。
これにより、同一のインシデントに係る情報を一元的に管理することができる。
【０１０３】
（５）  （１）から（４）までのいずれかに記載のインシデント管理装置１において、チケットは、機械情報、現場状況、進捗状況、対応履歴の少なくとも１つに関する項目を含み、かつ、項目の内容がＮＵＬＬであることを許容し、チケットの内容を、メーカ側端末８から確認可能にするか否かを判定するチケット照会判定部１７を備えてもよい。
これにより、インシデントに関する状況を後から随時追加することができ、障害等の状況に応じた迅速な対応が可能となる。また、チケットの内容を、メーカ側端末８において確認可能と判定された場合に行うようにするので、メーカ側端末８からの確認可否を設定できる。
【０１０４】
（６）  （５）に記載のインシデント管理装置１において、チケットは、前記取引先のコールセンタが指定する、チケットの内容の照会可否に関する照会フラグを含み、チケット照会判定部１７は、照会フラグが照会可の場合にのみ、チケットの内容を、他の取引先に属するコールセンタのメーカ側端末８から確認可能にしてもよい。
これにより、当該インシデントに対応した取引先の回答に当該取引先のノウハウを含む場合、他の取引先には当該ノウハウを知らせないようにすることができる。
【０１０５】
（７）  （１）から（６）までのいずれかに記載のインシデント管理装置１において、エンドユーザサイトの情報取得装置６が取得した画像及び／又は音を含むインシデントデータを受信するインシデントデータ受信部１２と、発行チケット受信部１１が受信したチケットと、インシデントデータ受信部１２が受信したインシデントデータとを関連付けるデータ関連付け部１３と、を備えてもよい。
これにより、インシデントに関連した画像及び／又は音を含むインシデントデータを、インシデントの解決のために用いることができる。
【０１０６】
（８）  （１）から（７）までのいずれかに記載のインシデント管理装置１において、機械及び／又はデバイスは、エッジ機器であり、ユーザ側端末４は、１台以上のエッジ機器と通信可能に接続されたエッジサーバ２０４であってもよい。
これにより、エッジサーバが有するエッジ機器から受信したデータを活用できる。
【０１０７】
（９）  インシデント管理システム１００−３は、（１）から（８）までのいずれかに記載のインシデント管理装置３０１と、機械及び／又はデバイスの設定情報を記憶した設定情報ＤＢ３７６を有する設定情報管理装置３０７と、エンドユーザサイトに有する読取装置３０６と、を備え、機械及び／又はデバイスの各々には、機械及び／又はデバイスを特定可能な装置識別情報が可視位置に付与されており、読取装置３０６は、機械又はデバイスのうちの１つであるインシデント対象装置に対応付けられた装置識別情報及び設定情報管理装置３０７への接続情報の入力を受け付けて設定情報管理装置３０７に接続する接続部３６２と、設定情報ＤＢ３７６に有する、インシデント対象装置に対応した設定情報を指定する設定情報指定部３６３と、を備え、インシデント管理装置３０１は、読取装置３０６が指定した設定情報を受信する設定情報受信部３１２と、発行チケット受信部１１が受信したチケットと、設定情報受信部３１２が受信した設定情報とを関連付ける設定情報関連付け部３１３と、を備えてもよい。
これにより、読取装置３０６を用いてインシデント対象装置に付与された装置識別情報を入力し、及び、設定情報管理装置３０７への接続情報を入力することで、チケットに設定情報を対応付けることができる。
【０１０８】
（１０）  （９）に記載のインシデント管理システム１００−３において、読取装置３０６は、接続部３６２により設定情報管理装置３０７に接続した場合に、本人認証情報を送信する本人認証送信部３６４を備え、インシデント管理装置３０１の設定情報受信部３１２は、読取装置３０６が送信した本人認証情報に基づいて本人認証ができた場合に送信される設定情報を受信してもよい。
これにより、本人認証処理によって本人認証ができた場合に、インシデント管理装置３０１が設定情報を受信できるので、セキュリティ性が向上する。
【０１０９】
（１１）  （９）又は（１０）に記載のインシデント管理システム１００−３において、機械及び／又はデバイスの各々には、装置識別情報と共に、又は、装置識別情報に代えて、読取装置３０６の撮影部３６７により読取可能なＱＲコードが可視位置に付与されており、ＱＲコードは、設定情報管理装置３０７への接続情報を有し、読取装置３０６の接続部３６２は、機械又はデバイスのうちの１つであるインシデント対象装置に対応付けられたＱＲコードを読み取ることで設定情報管理装置３０７に接続してもよい。
これにより、読取装置３０６を用いてインシデント対象装置に付与されたＱＲコードを読み取らせるだけで、チケットに設定情報を対応付けることができる。
【０１１０】
（１２）  （１１）に記載のインシデント管理システム１００−３において、ＱＲコードは、設定情報管理装置３０７への接続情報に加えて、ＱＲコードに対応するコードＩＤを有してもよい。
これにより、読取装置３０６で、インシデント対象装置に関する入力等を行うことなく、設定情報管理装置３０７において、インシデント対象装置が特定できる。
【０１１１】
（１３）  （１１）又は（１２）に記載のインシデント管理システム１００−３において、ＱＲコードは、インシデント発生時に、機械及び／又はデバイスにおいて機械及び／又はデバイスが有する表示装置３０９に表示されるものであってもよい。
これにより、インシデントに係るチケットを発行する条件において、ＱＲコードが表示されるので、便利である。
【０１１２】
（１４）  インシデント管理システム１００は、（１）から（８）までのいずれかに記載のインシデント管理装置１と、エンドユーザサイトのユーザ側端末４と、メーカを含む取引先のコールセンタのメーカ側端末８と、を備える。
これにより、インシデント管理装置１と、ユーザ側端末４と、メーカ側端末８とを用いた、インシデントサービスを提供するシステムを構築できる。
【０１１３】
（１５）  （９）から（１４）までのいずれかに記載のインシデント管理システム１００において、インシデント管理装置１は、クラウドサーバ上に存在してもよい。
これにより、ユーザ側端末４と、メーカ側端末８とのそれぞれが存在する場所にかかわらず、必要な時にインシデント管理装置１へのアクセスが可能になる。
【０１１４】
（１６）  機械及び／又はデバイスが稼働するエンドユーザサイトのユーザ側端末４と、機械及び／又はデバイスのメーカを含む取引先のコールセンタのメーカ側端末８とに対して接続され、エンドユーザサイトで発生したインシデントに対する取引先による解決をサポートするためのインシデント管理装置１によるインシデント管理方法は、インシデント管理装置１が、ユーザ側端末４がメーカ側端末８に対して発行する、インシデントに対応したチケットを受信する発行チケット受信ステップと、メーカ側端末８がユーザ側端末４に対して行う、発行されたチケットに対する回答を受信する回答受信ステップと、ユーザ側端末４が発行する、前記チケットと同一のインシデントに係る新たな情報を追加可能な追加チケットを受信する追加チケット受信ステップと、ユーザ側端末４、及びメーカ側端末８からの、前記インシデントの進捗状況の照会要求に対して、前記チケットにより管理されるインシデント情報を検索して、それぞれユーザ側端末４、及びメーカ側端末８に対して検索結果を提供する情報提供ステップと、を含む。
これにより、（１）と同様の効果を奏することができる。
【符号の説明】
【０１１５】
１，３０１  インシデント管理装置
４    ユーザ側端末
８    メーカ側端末
１０，３１０，３６０，３７０  制御部
１１  発行チケット受信部
１２  インシデントデータ受信部
１３  データ関連付け部
１４  回答受信部
１５  追加チケット受信部
１６  チケット関連付け部
１７  チケット照会判定部
１８  情報提供部
２０，３２０，３６５，３７５  記憶部
２１ａ，３２１ａ  インシデント管理プログラム
２２  チケット記憶部
２３  データ記憶部
１００，１００−２，１００−３  インシデント管理システム
２０４  エッジサーバ
３０６  読取装置
３０７  設定情報管理装置
３０９  表示装置
３１２  設定情報受信部
３１３  設定情報関連付け部
３１９  本人認証処理部
３２４  本人認証情報記憶部
３３１，３３２  ＱＲコード
３６１  コード読取部
３６２  接続部
３６３  設定情報指定部
３６４  本人認証送信部
３６７  撮影部
３６８  タッチパネルディスプレイ
３７６  設定情報ＤＢ
【図１】
2020166800.tif 000003
【図２】
2020166800.tif 000004
【図３】
2020166800.tif 000005
【図４】
2020166800.tif 000006
【図５】
2020166800.tif 000007
【図６】
2020166800.tif 000008
【図７】
2020166800.tif 000009
【図８】
2020166800.tif 000010
【図９】
2020166800.tif 000011
【図１０】
2020166800.tif 000012
【図１１】
2020166800.tif 000013
【図１２】
2020166800.tif 000014
【図１３】
2020166800.tif 000015
【図１４Ａ】
2020166800.tif 000016
【図１４Ｂ】
2020166800.tif 000017
【図１５】
2020166800.tif 000018
【図１６】
2020166800.tif 000019
【図１７Ａ】
2020166800.tif 000020
【図１７Ｂ】
2020166800.tif 000021